(57)【要約】      （修正有）【課題】ユーザの頭部に取り囲んで着用され、更にユーザのヘアスタイルに影響することを回避することができる一体型環状ヘッドフォンを提供する。【解決手段】一体型環状ヘッドフォン１００は、環状装着バンド１０と、１対のスピーカーモジュール２０とを備える。環状装着バンドは、前半部、後半部及び二つの保持部１３を有する。前半部は後半部に接続されることで閉鎖状を呈する。二つの保持部は、環状装着バンドの両側にそれぞれ位置する。各保持部には内側開口、外側開口及び収容部が形成される。収容部は内側開口と外側開口との間に位置する。１対のスピーカーモジュールは保持部内にそれぞれ保持される。各スピーカーモジュールは耳カバー２１と、ハウジングと、ハウジングの内部に位置する発音ユニットとを有する。耳カバーは内側開口に固定される。ハウジングは外側開口に部分的に露出する。発音ユニットは内側開口と対向する。【選択図】図２
2019091965.tif 000002
【特許請求の範囲】
【請求項１】
前半部、後半部及び二つの保持部を有し、前記前半部が前記後半部に接続されることで閉鎖状を呈しており、二つの前記保持部が前記環状装着バンドの両側にそれぞれ位置し、各前記保持部に内側開口、外側開口及び収容部が形成されており、前記収容部が前記内側開口と前記外側開口との間に位置する、環状装着バンドと、
前記内側開口に固定される耳カバーと、前記外側開口に部分的に露出するハウジングと、前記ハウジングの内部に位置すると共に前記内側開口と対向する発音ユニットと、を有し、前記保持部の内部にそれぞれ保持される１対のスピーカーモジュールと、
を備えることを特徴とする、一体型環状ヘッドフォン。
【請求項２】
前記環状装着バンドは外バンド及び内バンドを備え、
前記内側開口は前記内バンドに形成され、
前記外側開口は前記外バンドに形成され、
前記内バンドは前記外バンドに着脱可能に接続されることを特徴とする請求項１に記載の一体型環状ヘッドフォン。
【請求項３】
前記環状装着バンドは、前記内バンドを前記外バンドに結合させるための複数の結合部材を備えることを特徴とする請求項２に記載の一体型環状ヘッドフォン。
【請求項４】
前記環状装着バンドは伸縮性を有することを特徴とする請求項１に記載の一体型環状ヘッドフォン。
【請求項５】
前記環状装着バンドの前記前半部に挟持されるライナー前バンドと、
前記環状装着バンドの前記後半部に挟持されるライナー後バンドと、
を更に備えることを特徴とする請求項１に記載の一体型環状ヘッドフォン。
【請求項６】
前記ライナー前バンドの両端は、前記ライナー前バンドが前記ライナー後バンドに対して夾角を調整できるように前記スピーカーモジュールに回転可能に接続される枢着リングをそれぞれ有することを特徴とする請求項５に記載の一体型環状ヘッドフォン。
【請求項７】
前記スピーカーモジュールは環状突壁を有する内側ハウジングを更に備え、
前記枢着リングは前記環状突壁に回転可能に接続されることを特徴とする請求項６に記載の一体型環状ヘッドフォン。
【請求項８】
前記ライナー後バンドは、
一端が一方の前記スピーカーモジュールに接続され、他端が第１の調整溝を形成する第１のハーフバンドと、
一端が他方の前記スピーカーモジュールに接続され、他端が第２の調整溝を形成する第２のハーフバンドと、
前記第１のハーフバンドの前記第１の調整溝と前記第２のハーフバンドの前記第２の調整溝を貫通することで前記ライナー後バンドの全長を調整するための調整部品と、
を備えることを特徴とする請求項５に記載の一体型環状ヘッドフォン。
【請求項９】
前記第１のハーフバンドの前記第１の調整溝は第１のラックを形成し、
前記第２のハーフバンドの前記第２の調整溝は第２のラックを形成し、
前記調整部品はスリーブ部材及び調整ノブを備え、
前記第１の調整溝と前記第２の調整溝は前記スリーブ部材の内部に重なって位置し、
前記第１のラックと前記調整ノブは、前記スリーブ部材を貫通すると共に前記第１のラックと前記第２のラックに結合されることを特徴とする請求項８に記載の一体型環状ヘッドフォン。
【請求項１０】
前記スリーブ部材は開口及び前記開口の内部に位置する柱体を備え、
前記調整ノブはギアを有し、
前記ギアの中心に組立孔が形成され、
前記柱体が前記ギアの前記組立孔に差し込まれ、前記ギアが前記開口を貫通すると共に前記第１のラックと前記第２のラックに噛合されることを特徴とする請求項９に記載の一体型環状ヘッドフォン。
【発明の詳細な説明】
【技術分野】
【０００１】
本発明は、一体型環状ヘッドフォンに関し、特に、一体型環状の装着バンドを利用して二つの耳覆い型スピーカーモジュールに結合させ、ユーザが頭部に着用して音声を聴くことのできる環状ヘッドフォンに関する。
【背景技術】
【０００２】
現在、通常のヘッドフォンは、殆ど円弧状を呈しており、ユーザの頭を跨いで、ユーザの両側の耳に挟持されるものである。通常のヘッドフォンは安定性において揺れやすく装着に影響する一方、ユーザのヘアスタイルも壊れる。なお、従来のヘッドフォンのヘッドバンドは通常、交換できず、経年使用されて破損しやすく、ユーザは服装と組み合わせることもできない。
【発明の概要】
【発明が解決しようとする課題】
【０００３】
本発明が解決しようとする課題は、ユーザの頭部に取り囲んで着用され、更にユーザのヘアスタイルに影響することを回避することができる一体型環状ヘッドフォンを提供することにある。
【０００４】
なお、本発明が解決しようとする課題は、更に、交換又は洗浄するように、二つの耳覆い型スピーカーモジュールの装着バンドに着脱可能に接続されることで、環状ヘッドフォンの外観を変え、更にユーザは異なる服装と組み合わせる一体型環状ヘッドフォンを提供することにある。
【課題を解決するための手段】
【０００５】
上記課題を解決するために、本発明の一態様によれば、環状装着バンドと、１対のスピーカーモジュールとを備える一体型環状ヘッドフォンを提供する。環状装着バンドは、前半部、後半部及び二つの保持部とを有する。前半部は後半部に接続されることで閉鎖状を呈する。二つの保持部は、環状装着バンドの両側にそれぞれ位置する。各保持部に内側開口、外側開口及び収容部が形成される。収容部は内側開口と外側開口との間に位置する。１対のスピーカーモジュールは保持部内にそれぞれ保持される。各スピーカーモジュールは耳カバーと、ハウジングと、ハウジング内に位置する発音ユニットとを有する。耳カバーは内側開口に固定される。ハウジングは外側開口に部分的に露出する。発音ユニットは内側開口と対向する。
【発明の効果】
【０００６】
本発明は二つのスピーカーモジュールを伸縮交換可能な環状装着バンドに結合させ、ユーザの額と後頭部を取り囲み、弧状に頭に挟まれる一般のヘッドフォンとは異なる。本発明はユーザの髪型を崩すことを回避することができる。伸縮可能な環状装着バンドは、異なるサイズの頭囲に合わせ、安定して心地よく装着でき、ユーザも都合よく運動できる。交換可能な環状装着バンドは洗浄しやすい以外に、更にユーザの着こなしの全体スタイルを強めることができる。
【図面の簡単な説明】
【０００７】
【図１】本発明の一体型環状ヘッドフォンの分解斜視図である。
【図２】本発明の一体型環状ヘッドフォンの組立斜視図である。
【図３Ａ】本発明の一体型環状ヘッドフォンの正面図である。
【図３Ｂ】本発明の図３ＡにおけるＩＩＩＡ−ＩＩＩＡ線に沿う断面図である。
【図４Ａ】本発明の一体型環状ヘッドフォンの装着模式図である。
【図４Ｂ】本発明の図４ＡにおけるＩＶＡ−ＩＶＡ線に沿う断面図である。
【図５Ａ】本発明の一体型環状ヘッドフォンの別の実施例の分解斜視図である。
【図５Ｂ】本発明のライナー後バンドの断面図である。
【図６】本発明のライナー後バンドの分解斜視図である。
【図７】本発明の一体型環状ヘッドフォンの別の実施例の組立斜視図である。
【図８】本発明の一体型環状ヘッドフォンの別の実施例の側面図である。
【発明を実施するための形態】
【０００８】
本発明が所定の目的を達成するために採られる技術、方法及び効果がより一層判るように、以下本発明に関する詳細な説明と添付図面を参照する。本発明の目的、特徴と特点は、これにより深く且つ具体的に判るが、添付図面と添付ファイルは参考と説明のために提供するものに過ぎず、本発明を制限するためのものではない。
【０００９】
図１乃至図３Ａ及び図３Ｂを参照する。図１乃至図３Ａ及び図３Ｂは、それぞれ本発明の一体型環状ヘッドフォンの分解図と組立図である。本発明は、環状装着バンド（ａｎｎｕｌａｒ  ｈｅａｄｂａｎｄ）１０と、１対のスピーカーモジュール（ｓｐｅａｋｅｒ  ｍｏｄｕｌｅ）２０、２０’を備え、全体的にスポーツスタイルが形成される一体型環状ヘッドフォン１００を提供する。
【００１０】
環状装着バンド１０は、前半部１０ａ、後半部１０ｂ（図３Ａに示すように）及び二つの保持部１３を有する。前半部１０ａは後半部１０ｂに接続されることで閉鎖状を呈する。二つの保持部１３は、環状装着バンド１０の両側にそれぞれ位置する。各保持部１３に内側開口１３１、外側開口１３２及び収容部１３０が形成される。収容部１３０は内側開口１３１と外側開口１３２との間に位置する。
【００１１】
図１を参照する。本実施例の環状装着バンド１０は、外バンド１１及び内バンド１２を備える。内側開口１３１は内バンド１２に形成される。外側開口１３２は外バンド１１に形成される。内バンド１２は外バンド１１に着脱可能に接続される。環状装着バンド１０は、内バンド１２を外バンド１１に結合させるための複数の結合部材１４を備えるようにしてもよい。図３Ａと図３Ｂを参照する。結合部材１４は、例えば、磁気吸着による磁石、係止するボタン等の手段であってもよい。これにより、ユーザは内バンド１２を容易に清掃又は交換することができ、異なるスタイルの環状ヘッドフォンを作るように外バンド１１を交換することもできる。
【００１２】
図１を参照する。１対のスピーカーモジュール２０、２０’は、保持部１３の収容部１３０内にそれぞれ保持される。各スピーカーモジュール２０、２０’は耳カバー（ｅａｒ  ｃｏｖｅｒ）２１、ハウジング２２及びハウジング２２内に位置する発音ユニット（ｅｌｅｃｔｒｏａｃｏｕｓｔｉｃ  ｔｒａｎｓｄｕｃｅｒ）２３を有する。耳カバー２１は内側開口１３１に固定される。ハウジング２２は外側開口１３２に部分的に露出する。発音ユニット２３は内側開口１３１と対向し、音声信号（ａｕｄｉｏ  ｓｉｇｎａｌ）を音声（ｓｏｕｎｄ）に変換するためのものである。耳カバー２１は、内バンド１２に貼り付けられてもよく、スピーカーモジュール２０のハウジング２２に固定されてもよい。
【００１３】
環状装着バンド１０は、好ましくは伸縮性を有する。例えば、環状装着バンド１０は伸縮性がある布材から構成される。伸縮可能な布材はユーザの異なる頭囲により、安定して心地よく頭に装着されることができる。
【００１４】
図４Ａを参照する。本実施例のスピーカーモジュール２０にはマイク２５が設けられていてもよいが、これに限定されるものではない。また、更にワイヤＷが接続されてもよく、ワイヤＷはオーディオプラグでスピーカーモジュール２０に着脱可能に差し込まれてもよい。図４Ａ及び図４Ｂを参照する。本実施例のハウジング２２は、固定部２２１、回転部２２２を備える。回転部２２２は固定部２２１に回転可能に接続される。マイク２５は回転部２２２に接続される。回転部２２２を回転させることでマイク２５の角度を調整することができる。
【００１５】
図５Ａと図６を参照する。図５Ａは本発明の一体型環状ヘッドフォンの別の実施例の分解斜視図である。本実施例は、説明の便宜上、図面に環状装着バンド１０が表示されていない。本発明は、環状装着バンド１０の内部にライナー前バンド１５とライナー後バンド１６とをつける。ライナー前バンド１５は環状装着バンド１０の前半部１０ａ内に挟持される。ライナー後バンド１６は環状装着バンド１０の後半部１０ｂ内に挟持される。
【００１６】
図８を参照する。本実施例のライナー前バンド１５の両端には枢着リング１５０をそれぞれ有する。枢着リング１５０がスピーカーモジュール２０、２０’に回転可能に接続されることで、ライナー前バンド１５はライナー後バンド１６に対して夾角を例えば、図８に示すように調整することができる。その接続方式としては、例えば、スピーカーモジュール２０は環状突壁２６０を有する内側ハウジング２６を備え、枢着リング１５０は環状突壁２６０に回転可能に接続される。
【００１７】
なお、ライナー前バンド１５は、容易に弾性伸縮して長さを調整するように、少なくとも一つの弾性部１５２を一体に形成してもよい。本実施例では、二つの弾性部１５２が設けられている。
【００１８】
図６を参照する。図６は本発明のライナー後バンドの分解斜視図である。本実施例のライナー後バンド１６には、より便利な長さ調整手段が設けられているため、ユーザは手動で環状装着バンドの全体長さを調整することができる。ライナー後バンド１６は、第１のハーフバンド１６１、第２のハーフバンド１６２及び調整部品（スリーブ部材１６３及び調整ノブ１６４を含む）を備える。第１のハーフバンド１６１の一端は一方のスピーカーモジュール２０に接続される。本実施例では、第１のハーフバンド１６１は、スピーカーモジュール２０の内側ハウジング２６に引掛されることができる引掛部１６１１を形成する。第１のハーフバンド１６１の他端には第１の調整溝１６１０を形成する。第２のハーフバンド１６２の一端は他方のスピーカーモジュール２０’に接続される。本実施例では、第２のハーフバンド１６２は、スピーカーモジュール２０’の内側ハウジング２６に引掛されることができる引掛部１６２１を形成する。第２のハーフバンド１６２の他端には第２の調整溝１６２０を形成する。調整部品（スリーブ部材１６３及び調整ノブ１６４を含む）は、第１のハーフバンド１６１の第１の調整溝１６１０と、第２のハーフバンド１６２の第２の調整溝１６２０とを貫通することで、ライナー後バンド１６の全長を調整する。
【００１９】
同時に図５Ｂを合わせて参照する。図５Ｂは本発明の調整部品の断面図である。第１のハーフバンド１６１の第１の調整溝１６１０は、第１のラック１６１３を形成する。第２のハーフバンド１６２の第２の調整溝１６２０は、第２のラック１６２３を形成する。調整部品は、スリーブ部材１６３及び調整ノブ１６４を備える。第１の調整溝１６１０と第２の調整溝１６２０はスリーブ部材１６３内に重なって位置する。第１のラック１６１３と調整ノブ１６４は、スリーブ部材１６３を貫通すると共に、第１のラック１６１３と第２のラック１６２３に結合される。より具体的には、スリーブ部材１６３は、開口１６３０及び開口１６３０内に位置する柱体１６３１を備える。調整ノブ１６４はギア１６４１を有する。ギア１６４１の中心に組立孔１６４０が形成される。柱体１６３１はギア１６４１の組立孔１６４０に差し込まれる。ギア１６４１は開口１６３０を貫通すると共に、第１のラック１６１３と第２のラック１６２３に噛合される。
【００２０】
図６の逆時計回りの方向に、調整ノブ１６４を回転させる場合、調整ノブ１６４のギア１６４１は第１のラック１６１３と第２のラック１６２３を駆動し、第１のハーフバンド１６１と第２のハーフバンド１６２を互いに近づけ、ライナー後バンド１６の全体長さを短くする。図６の時計回りの方向に、調整ノブ１６４を回転させる場合、調整ノブ１６４のギア１６４１は第１のラック１６１３と第２のラック１６２３を駆動し、第１のハーフバンド１６１と第２のハーフバンド１６２を互いに引き離し、ライナー後バンド１６の全体長さを長くする。
【００２１】
図７と図８を参照する。図７と図８は本発明の一体型環状ヘッドフォンの別の実施例の組立斜視図と側面図である。本実施例のライナー前バンド１５とライナー後バンド１６は環状装着バンド１０の骨格のようである。図８のように、環状装着バンド１０をライナー前バンド１５とライナー後バンド１６に被覆する。調整ノブ１６４は部分的に環状装着バンド１０の後側に露出してもよい。
【００２２】
本発明の特徴と効果は、二つのスピーカーモジュール２０、２０’を伸縮交換可能な環状装着バンド１０に結合させ、ユーザの額と後頭部を取り囲み、弧状に頭に挟まれる一般のヘッドフォンとは異なる一体型環状ヘッドフォン１００を提供することにある。本発明はユーザの髪型を崩すことを回避することができる。伸縮可能な環状装着バンド１０は、異なるサイズの頭囲に合わせ、安定して心地よく装着でき、ユーザも都合よく運動することができる。交換可能な環状装着バンド１０は洗浄しやすい以外に、更にユーザの着こなしの全体スタイルを強めることができる。
【００２３】
上述したことは本発明の好ましい実施可能な実施例に過ぎず、本発明の特許請求の範囲に基づく同等な変形と変更は、全て本発明の範囲に属するものである。
【符号の説明】
【００２４】
１００    一体型環状ヘッドフォン
１０    環状装着バンド
１０ａ    前半部
１０ｂ    後半部
１１    外バンド
１２    内バンド
１３    保持部
１３０    収容部
１３１    内側開口
１３２    外側開口
１４    結合部材
１５    ライナー前バンド
１５０    枢着リング
１５２    弾性部
１６    ライナー後バンド
１６１    第１のハーフバンド
１６１０    第１の調整溝
１６１１    引掛部
１６１３    第１のラック
１６２    第２のハーフバンド
１６２０    第２の調整溝
１６２１    引掛部
１６２３    第２のラック
１６３    スリーブ部材
１６３０    開口
１６３１    柱体
１６４    調整ノブ
１６４１    ギア
１６４０    組立孔
２０、２０’    スピーカーモジュール
２１    耳カバー
２２    ハウジング
２２１    固定部
２２２    回転部
２３    発音ユニット
２５    マイク
２６    内側ハウジング
２６０    環状突壁
Ｗ    ワイヤ
【図１】
2019091965.tif 000003
【図２】
2019091965.tif 000004
【図３Ａ】
2019091965.tif 000005
【図３Ｂ】
2019091965.tif 000006
【図４Ａ】
2019091965.tif 000007
【図４Ｂ】
2019091965.tif 000008
【図５Ａ】
2019091965.tif 000009
【図５Ｂ】
2019091965.tif 000010
【図６】
2019091965.tif 000011
【図７】
2019091965.tif 000012
【図８】
2019091965.tif 000013
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
前半部、後半部及び二つの保持部を有し、前記前半部が前記後半部に接続されることで閉鎖状を呈しており、二つの前記保持部が環状装着バンドの両側にそれぞれ位置し、各前記保持部に内側開口、外側開口及び収容部が形成されており、前記収容部が前記内側開口と前記外側開口との間に位置する、環状装着バンドと、
前記内側開口に固定される耳カバーと、前記外側開口に部分的に露出するハウジングと、前記ハウジングの内部に位置すると共に前記内側開口と対向する発音ユニットと、を有し、前記保持部の内部にそれぞれ保持される１対のスピーカーモジュールと、
を備え、
前記環状装着バンドは外バンド及び内バンドを備え、
前記内側開口は前記内バンドに形成され、
前記外側開口は前記外バンドに形成され、
前記内バンドは前記外バンドに着脱可能に接続されることを特徴とする、一体型環状ヘッドフォン。
【請求項２】
前記環状装着バンドは、前記内バンドを前記外バンドに結合させるための複数の結合部材を備えることを特徴とする請求項１に記載の一体型環状ヘッドフォン。
【請求項３】
前記環状装着バンドは伸縮性を有することを特徴とする請求項１に記載の一体型環状ヘッドフォン。
【請求項４】
前半部、後半部及び二つの保持部を有し、前記前半部が前記後半部に接続されることで閉鎖状を呈しており、二つの前記保持部が環状装着バンドの両側にそれぞれ位置し、各前記保持部に内側開口、外側開口及び収容部が形成されており、前記収容部が前記内側開口と前記外側開口との間に位置する、環状装着バンドと、
前記内側開口に固定される耳カバーと、前記外側開口に部分的に露出するハウジングと、前記ハウジングの内部に位置すると共に前記内側開口と対向する発音ユニットと、を有し、前記保持部の内部にそれぞれ保持される１対のスピーカーモジュールと、
を備える一体型環状ヘッドフォンであって
前記一体型環状ヘッドフォンは、
前記環状装着バンドの前記前半部に挟持されるライナー前バンドと、
前記環状装着バンドの前記後半部に挟持されるライナー後バンドと、
を更に備え、
前記ライナー前バンドの両端は、前記ライナー前バンドが前記ライナー後バンドに対して夾角を調整できるように前記スピーカーモジュールに回転可能に接続される枢着リングをそれぞれ有する、ことを特徴とする、一体型環状ヘッドフォン。
【請求項５】
前記スピーカーモジュールは環状突壁を有する内側ハウジングを更に備え、
前記枢着リングは前記環状突壁に回転可能に接続されることを特徴とする請求項４に記載の一体型環状ヘッドフォン。
【請求項６】
前記ライナー後バンドは、
一端が一方の前記スピーカーモジュールに接続され、他端が第１の調整溝を形成する第１のハーフバンドと、
一端が他方の前記スピーカーモジュールに接続され、他端が第２の調整溝を形成する第２のハーフバンドと、
前記第１のハーフバンドの前記第１の調整溝と前記第２のハーフバンドの前記第２の調整溝を貫通することで前記ライナー後バンドの全長を調整するための調整部品と、
を備えることを特徴とする請求項４に記載の一体型環状ヘッドフォン。
【請求項７】
前記第１のハーフバンドの前記第１の調整溝は第１のラックを形成し、
前記第２のハーフバンドの前記第２の調整溝は第２のラックを形成し、
前記調整部品はスリーブ部材及び調整ノブを備え、
前記第１の調整溝と前記第２の調整溝は前記スリーブ部材の内部に重なって位置し、
前記第１のラックと前記調整ノブは、前記スリーブ部材を貫通すると共に前記第１のラックと前記第２のラックに結合されることを特徴とする請求項６に記載の一体型環状ヘッドフォン。
【請求項８】
前記スリーブ部材は開口及び前記開口の内部に位置する柱体を備え、
前記調整ノブはギアを有し、
前記ギアの中心に組立孔が形成され、
前記柱体が前記ギアの前記組立孔に差し込まれ、前記ギアが前記開口を貫通すると共に前記第１のラックと前記第２のラックに噛合されることを特徴とする請求項７に記載の一体型環状ヘッドフォン。